(57)【要約】【課題】省スペースでかつ画像品質を低下させることのない光走査装置および画像形成装置を提供する。【解決手段】光走査装置１５は、光学ハウジング１３の上面に、シャッタ部材１４を一体的に備えている。シャッタ部材１４は、ガイド溝１６内に段付ネジ１７が光学ハウジングの上カバー１１にネジ止めされることにより、両矢印Ａのようにスライド移動可能に支持される。モータ５９により偏心カム６１が回転されると、リンクレバー２０，２０を介してシャッタ部材１４がシャッタ開放位置または閉鎖位置に移動される。シャッタ部材１４が光学ハウジング１３と一体に設けられるため、省スペースで、図示しない防塵ガラスへのトナーや埃の付着を防ぐ。【選択図】図３
2007144853.tif 000002
【特許請求の範囲】
【請求項１】
光源からの光束を光学ハウジングの出射窓より射出させて被走査面を走査する光走査装置において、
前記出射窓を開閉するシャッタ部材を一体的に備えることを特徴とする光走査装置。
【請求項２】
前記シャッタ部材の開閉をガイドするガイド機構を有することを特徴とする、請求項１に記載の光走査装置。
【請求項３】
前記ガイド機構は、前記シャッタ部材の前記ハウジングからの離間を防止する離間防止手段を有することを特徴とする、請求項２に記載の光走査装置。
【請求項４】
前記離間防止手段が、前記ハウジングに装着された段付きネジであることを特徴とする、請求項３に記載の光走査装置。
【請求項５】
前記段付きネジのネジ頭部と前記シャッタ部材との間に所定の隙間が形成されていることを特徴とする、請求項４に記載の光走査装置。
【請求項６】
前記ガイド機構は、前記シャッタ部材の開閉方向と直交する方向の移動を規制可能なことを特徴とする、請求項２〜５のいずれか１項に記載の光走査装置。
【請求項７】
前記シャッタ部材は、前記ガイド機構に対応する部分が凹形状に設けられていることを特徴とする、請求項２〜６のいずれか１項に記載の光走査装置。
【請求項８】
前記シャッタ部材をシャッタ閉鎖位置または開放位置に維持する維持手段を備えることを特徴とする、請求項１に記載の光走査装置。
【請求項９】
前記維持手段は、前記シャッタ部材のシャッタ閉鎖位置または開放位置において前記シャッタ部材と前記ハウジング間に係止される係止部材であることを特徴とする、請求項８に記載の光走査装置。
【請求項１０】
前記係止部材がネジであることを特徴とする、請求項９に記載の光走査装置。
【請求項１１】
前記係止部材がピンであることを特徴とする、請求項９に記載の光走査装置。
【請求項１２】
前記シャッタ部材の開閉状態を検出する検出手段を備えることを特徴とする、請求項１に記載の光走査装置。
【請求項１３】
前記検出手段が、前記シャッタ部材の位置を直接検出することを特徴とする、請求項１２に記載の光走査装置。
【請求項１４】
前記検出手段が、前記シャッタ部材の位置を間接的に検出することを特徴とする、請求項１２に記載の光走査装置。
【請求項１５】
前記シャッタ部材が付勢手段により閉鎖方向に付勢されていることを特徴とする、請求項１に記載の光走査装置。
【請求項１６】
前記シャッタ部材が、駆動手段からリンク機構を介して移動されることを特徴とする、請求項１に記載の光走査装置。
【請求項１７】
前記出射窓を複数有し、前記シャッタ部材は前記複数の出射窓を一体に遮蔽及び開放する部材であることを特徴とする、請求項１に記載の光走査装置。
【請求項１８】
前記出射窓が前記ハウジングの上面に設けられ、前記シャッタ部材が前記ハウジングの上部に配置されることを特徴とする、請求項１又は１７に記載の光走査装置。
【請求項１９】
請求項１〜１８のいずれか１項に記載の光走査装置を備えることを特徴とする画像形成装置。
【請求項２０】
前記光走査装置が作像部の下方に配設されることを特徴とする、請求項１９に記載の画像形成装置。
【発明の詳細な説明】
【技術分野】
【０００１】
本発明は、電子写真方式のプリンタ等における光書き込みを行なうための光走査装置とそれを搭載する画像形成装置に関する。
【背景技術】
【０００２】
【特許文献１】特開２０００−２６３８３９号公報
【０００３】
レーザービームプリンタ、デジタル複写機、レーザーファクシミリなどの画像形成装置は、感光体上に潜像を書き込むための光走査装置を備えている。近年、画像形成装置の高画質化が要求され、光走査装置においては、レーザ光射出部にホコリ・トナーなどの汚れが付着し、レーザ光を遮ることによって画像品質が低下するという問題も重大となってきた。また一方、画像形成装置の小型化の要求に伴い、画像形成装置内の光書込みユニット（光走査装置）の配置は多様化しており、作像部の像担持体に対して水平方向、もしくはそれよりも下方に配置される場合がある。このような構成では、作像部から落下したトナーや機内に漂う塵埃によりレーザ射出口に設けられた防塵ガラスが汚染され、画像に異常を発生させることがあった。そこで、例えば特許文献１には、像担持体と光走査装置の間にシャッタ機構を設けることが提案されている。
【発明の開示】
【発明が解決しようとする課題】
【０００４】
しかしながら、像担持と体光走査装置の間にシャッタ機構を配置すると、画像形成装置内において上下方向に必要なスペースが大きくなり、装置小型化の要求に相反するという問題がある。
【０００５】
また、特許文献１に記載のものでは、シャッタ機構と光走査装置の間の隙間が大きいため、横方向からトナーや埃等が進入し、画像品質の低下を充分に防ぐことができないという問題もある。
【０００６】
本発明は、従来の光走査装置における上述の問題を解決し、省スペースでかつ画像品質を低下させることのない光走査装置および画像形成装置を提供することを課題とする。
【課題を解決するための手段】
【０００７】
前記の課題は、本発明により、光源からの光束を光学ハウジングの出射窓より射出させて被走査面を走査する光走査装置において、前記出射窓を開閉するシャッタ部材を一体的に備えることにより解決される。
【０００８】
また、前記シャッタ部材の開閉をガイドするガイド機構を有すると好ましい。
また、前記ガイド機構は、前記シャッタ部材の前記ハウジングからの離間を防止する離間防止手段を有すると好ましい。
【０００９】
また、前記離間防止手段が、前記ハウジングに装着された段付きネジであると好ましい。
また、前記段付きネジのネジ頭部と前記シャッタ部材との間に所定の隙間が形成されていると好ましい。
【００１０】
また、前記ガイド機構は、前記シャッタ部材の開閉方向と直交する方向の移動を規制可能であると好ましい。
また、前記シャッタ部材は、前記ガイド機構に対応する部分が凹形状に設けられていると好ましい。
【００１１】
また、前記シャッタ部材をシャッタ閉鎖位置または開放位置に維持する維持手段を備えると好ましい。
また、前記維持手段は、前記シャッタ部材のシャッタ閉鎖位置または開放位置において前記シャッタ部材と前記ハウジング間に係止される係止部材であると好ましい。
【００１２】
また、前記係止部材がネジであると好ましい。
また、前記係止部材がピンであると好ましい。
また、前記シャッタ部材の開閉状態を検出する検出手段を備えると好ましい。
【００１３】
また、前記検出手段が、前記シャッタ部材の位置を直接検出すると好ましい。
また、前記検出手段が、前記シャッタ部材の位置を間接的に検出すると好ましい。
【００１４】
また、前記シャッタ部材が付勢手段により閉鎖方向に付勢されていると好ましい。
また、前記シャッタ部材が、駆動手段からリンク機構を介して移動されると好ましい。
【００１５】
また、前記出射窓を複数有し、前記シャッタ部材は前記複数の出射窓を一体に遮蔽及び開放する部材であると好ましい。
また、前記出射窓が前記ハウジングの上面に設けられ、前記シャッタ部材が前記ハウジングの上部に配置されると好ましい。
【００１６】
また、前記の課題は、本発明により、請求項１〜１８のいずれか１項に記載の光走査装置を備えることを特徴とする画像形成装置により解決される。
また、前記光走査装置が作像部の下方に配設されると好ましい。
【発明の効果】
【００１７】
本発明の光走査装置および画像形成装置によれば、光走査装置のハウジングからの光束の出射窓を開閉するシャッタ部材を一体的に備えるので、画像形成装置作像部との間のスペースを増大させることがなく、画像形成装置の小型化に寄与することができる。また、横方向からのトナーや埃の侵入を防ぎ、それらが防塵ガラスに付着することによる画像品質の低下を効果的に防ぐことができる。
【発明を実施するための最良の形態】
【００１８】
以下、本発明の実施の形態を図面に基づいて説明する。
図１は、本発明に係る光走査装置の一例を備えた画像形成装置の概略を示す断面構成図である。この図に示すフルカラープリンタ５０は、いわゆる４連タンデム方式の画像形成装置であり、４つ（４色分）の作像ユニットを転写ベルト５１に対向させて並べ、各感光体９上のトナー像を転写ベルト５１上に重ね転写し、給紙部５２から給送した記録材上に転写するものであり、短時間でフルカラー画像が得られる。
【００１９】
転写ベルト５１は図中反時計回りに回動される。その転写ベルト５１の下側に感光体ドラム９を中心とする４つ（４色分）の作像ユニットを並設している。各色作像ユニットの構成は同一であり、使用するトナーの色が異なるのみである。本例では、各色作像ユニットにおいてシアン，マゼンタ，イエロー，ブラックの（Ｃ，Ｍ，Ｙ，Ｋの各色を示す記号を感光体ドラム９の中に記す）各色トナーを用いて画像が形成される。その作像ユニットの下方には光走査装置１５が配設されている。給紙部５２から給送された記録材は、レジストローラ５３により転写ベルト５１上のトナー像とのタイミングを取って送出され、転写手段である転写ローラ５４の作用により、転写ベルト５１上のトナー像が記録材に転写される。記録材上のトナー像は定着装置５５により定着され、排出ローラ５６により記録材は排紙トレイ５７に排出されてスタックされる。
【００２０】
図２は、光走査装置１５付近を詳しく示す拡大図である。
この図に示すように、光走査装置１５は、２段のポリゴンミラー１ａ，１ｂ、防音ガラス２ａ，２ｂ、ｆθレンズ３ａ，３ｂ、第１〜第３ミラー群４ａ，４ｂ，４ｃ，４ｄ，６ａ，６ｂ，６ｃ，６ｄ，７ａ，７ｂ，７ｃ，７ｄ、長尺レンズ５ａ，５ｂ，５ｃ，５ｄ、防塵ガラス８ａ，８ｂ，８ｃ，８ｄ等を備えており、これらが光学ハウジング１３内に配設されている。
【００２１】
ポリゴンミラー１は、正多角形の側面に反射ミラーを有しており、図示しないポリゴンモータにより高速回転され、図示しない光源からのレーザ光を偏向・走査する。防音ガラス２は、ポリゴンモータが発生する音を防音するものである。ｆθレンズ３は、ポリゴンミラー１によるビーム走査の等角度運動を等速直線運動へと変える光学素子である。上記第１〜第３ミラー群４，６，７は、光走査装置１５の上方に配置された各感光体９へとレーザ光を導く光学素子である。長尺レンズ５はポリゴンミラーの面倒れを補正するもので、走査線の位置を副走査方向に補正する機能をもっている。防塵ガラス８は、光学ハウジング１３内への塵などの落下を防止するものである。
【００２２】
光学ハウジング１３は、側壁１３ａ，光学素子配置面１３ｂ，ハウジングを密閉するための上カバー１１及び下カバー１２，ポリゴンミラー部分の蓋１０で構成されている。そして、上カバー１１の上には、シャッタ部材１４がスライド可能に一体的に装着支持されている。なお、図１，２において、各感光体への光路をＬ１，Ｌ２，Ｌ３，Ｌ４の符号を付して表している。
【００２３】
図３は、光走査装置１５とそのシャッタ駆動機構を示す斜視図である。この図において、符号５８は画像形成装置の本体側に設けられた面板であり、光走査装置１５はハウジング１３の図２における右側の側壁１３ａを面板５８に密着ないし近接させるようにして画像形成装置本体に位置決め固定される。
【００２４】
図３に示すように、光学ハウジング１３の上面に装着されたシャッタ部材１４は、主走査方向と直行する方向（光走査装置１５の長手方向）に延びる３つのガイド溝１６を有している。その各ガイド溝１６内に段付ネジ１７がシャッタ部材１４を押さえるようにして上カバー１１に螺着される。この段付ネジ１７により、詳しくは後述するが、シャッタ部材１４は上カバー１１から浮き上がることを規制され、かつ、シャッタ部材１４の摺動に必要な適切な間隔を確保され、両矢印Ａで示すようにシャッタ部材１４が往復移動可能に支持される。
【００２５】
シャッタ部材１４は、走査光を通過させるため主走査方向と平行に設けられた３つの開口１８を有している。図３はシャッタが閉じられた状態を示しており、このシャッタ閉鎖位置からＡ１方向にシャッタ部材１４が移動され、図２に示す位置をとることによって、シャッタが開放される。そのシャッタ開放位置では、３つの開口１８がハウジング上面の防塵ガラス８ｂ，８ｃ，８ｄの上方に位置される。なお、図２において左端の防塵ガラス８ａに対応する開口はシャッタ部材１４に設けられておらず、シャッタ部材１４の図２において左側端部が防塵ガラス８ａの右側位置まで移動することにより防塵ガラス８ａの上方が開放される。このようにしてシャッタが開放され、走査光Ｌ１〜Ｌ４が防塵ガラス８ａ，８ｂ，８ｃ，８ｄを通過して露光可能となる。
【００２６】
そして、図２のシャッタ開放位置からＡ２方向にシャッタ部材１４が移動され、図３に示すようにシャッタが閉鎖されると、シャッタ部材１４の各開口１８が防塵ガラス８ｂ，８ｃ，８ｄの位置からズレ、また、防塵ガラス８ａの上方へシャッタ部材１４の端部が移動することにより、全ての防塵ガラス８ａ，８ｂ，８ｃ，８ｄ部分がシャッタ部材１４により覆われる。
【００２７】
本例の光走査装置１５においては、シャッタ部材１４が光学ハウジング１３と一体的に設けられているので、上下方向のスペースを増大させることがなく、画像形成装置の小型化に寄与することができる。また、シャッタ部材１４が光学ハウジング１３と一体的に設けられていることから、従来のようなシャッタ部材と光走査装置との間に隙間がなく、横方向からのトナーや埃の侵入を防ぎ、それらが防塵ガラスに付着することによる画像品質の低下を効果的に防ぐことができる。
【００２８】
次に、シャッタ駆動機構について図３，４を参照して説明する。
光学ハウジングの上カバー１１上面の長手方向一方側の端部には、リンク部材である１対のレバー２０，２０が軸１９，１９により回動可能に取り付けられている。軸１９，１９には、それぞれ捻りコイルばね２１，２１が嵌装されている。そのコイルばね２１，２１は、一端が各レバー２０，２０に係合され、他端が上カバー１１に設けられた係止部２３，２３に係合され、図４における左側レバー２０を図中時計回りに、右側レバー２０を図中反時計回りに付勢している。すなわち、捻りコイルばね２１はシャッタ部材１４を閉鎖する方向に付勢している。
【００２９】
各レバー２０の外側端部にはピン受穴２０ａが形成されており、そのピン受穴２０ａに、シャッタ部材１４の端部に下方に突設（植設）されたピン２２，２２が遊嵌される。したがって、１対のレバー２０，２０が軸１９，１９を中心に回動すると、シャッタ部材１４が図４の上下方向（光走査装置１５の長手方向：図１の矢印Ａ方向）に移動される。なお、本例では、レバー２０における軸１９からピン受穴２０ａ側の部分（外側部分）の長さは、軸１９からピン受穴２０ａと反対側の部分（内側部分）の長さよりも大きく設定されている。これにより、リンク部材である１対のレバー２０，２０が軸１９，１９を中心として回動するときのシャッタ部材１４の移動量が大きくなるように構成されている。
【００３０】
一方、画像形成装置本体側の部材である面板５８には、シャッタ駆動源としてのモータ５９がブラケット６２を介して装着されている。そしてモータ５９により回転される軸６０がブラケット６２の上面から突出しており、その回転軸６０に偏心カム６１が固定されている。モータ５９の回転により、偏心カム６１は図４に実線で示す位置と仮想線で示す位置とを含むように回動する。なお、面板５８には偏心カム６１が光走査装置１５側に突出できる穴が設けられており、偏心カム６１の側面が一方のレバー２０（本例では図４において右側のレバー２０）に当接されている。この一方側のレバー２０の端部（偏心カム６１との当接部分）は垂直下方に折り曲げられ、レバーと偏心カム６１が面で当接するようにしている。そして、他方側（本例では図４において左側のレバー２０）のレバー端部は折り曲げられておらず、その平面状のレバー端部が上記した右側のレバー２０端部の曲折部の側面（図４で上面）に当接され、右側のレバー２０とともに偏心カム６１により押圧される。
【００３１】
さて、偏心カム６１が回動することにより、偏心カム６１の側面がレバー２０，２０の内側端部を押圧し、レバー２０，２０を軸１９，１９を中心に回動させる。これにより、上記したごとく、シャッタ部材１４が図４の上下方向（光走査装置１５の長手方向：図１の矢印Ａ方向）に移動される。
【００３２】
偏心カム６１が図４に実線で示す位置に移動すると、偏心カム６１によるレバー２０，２０の押圧が解除されるので、捻りコイルばね２１，２１により付勢されているレバー２０，２０が図４の位置（図３に実線で示す位置）へと回動し、シャッタ部材１４が図３に示す閉鎖位置へと移動される。
【００３３】
偏心カム６１が図４に仮想線で示す位置に移動すると、偏心カム６１が捻りコイルばね２１，２１の付勢力に抗してレバー２０，２０を図３に仮想線で示す位置へと回動させ、シャッタ部材１４を図２に示す開放位置へと移動させる。
【００３４】
通常時（非画像形成時）、偏心カム６１は図４に実線で示す位置にあり、このとき、捻りコイルばね２１，２１の付勢力によってシャッタ部材１４はシャッタ閉鎖位置に保持されている。そして、画像形成時に書き込み可能状態への移行指示が出されると、モータ５９が駆動され、偏心カム６１が所定量だけ回転することによってシャッタが開放される。
【００３５】
本例の光走査装置１５では、付勢手段（ここでは捻りコイルばね２１）によりシャッタ部材１４が閉じる方向に付勢されているので、光書き込みが必要なタイミング以外はシャッタ部材１４により射出窓である防塵ガラス８ａ，８ｂ，８ｃ，８ｄ部を保護することができ、防塵ガラスへのトナーや埃などの付着による汚損を最小限とすることが可能となる。そのため、形成画像に筋やムラを発生させることなく、良好な画像を継続的に維持することができる。また、防塵ガラス８ａ，８ｂ，８ｃ，８ｄの清掃をしなければならなくなる状況を最小限に減らすことが可能となる。
【００３６】
そして、付勢手段によりシャッタ部材１４が閉じる方向に付勢されていることにより、光走査装置１５を画像形成装置本体へ組み付ける前の状態、あるいは光走査装置１５を画像形成装置本体から取り外したときなど、シャッタ部材１４はシャッタ閉鎖位置に保持される。したがって、工場内での組み付け時や、修理等のために光走査装置１５を交換する必要が生じたとき、あるいは光走査装置１５の輸送時等において、防塵ガラス８ａ，８ｂ，８ｃ，８ｄ部分がシャッタ部材１４により覆われ外部に露出していないため、防塵ガラスへの埃などの付着が防止されることはもとより、作業ミスなどにより防塵ガラスを傷つけたり破損させたりすることが防止され、高価な光走査装置を保護することが可能となる。
【００３７】
なお、光走査装置１５を画像形成装置本体へ装着すると、上述したように偏心カム６１の側面にレバー２０，２０の内側端部が接するように配置され、モータ５９により偏心カム６１が回動されることによってシャッタが開閉される。
【００３８】
図５は、シャッタ部材１４を光学ハウジングの上カバー１１にスライド可能に保持するガイド溝１６付近を示す部分斜視図である。また、図６は、そのガイド溝１６付近の断面図である。
【００３９】
シャッタ部材１４を抑える段付ネジ１７は、図６のように下から順に、上カバー１１のネジ穴にねじ込まれるネジ部、ガイド溝１６の幅よりも小径でガイド溝内に遊嵌されるネジ胴部、ガイド溝１６の幅よりも大径のネジ頭部から構成されている。また、シャッタ部材１４は、ガイド溝１６の周辺部が他の部分よりも一段低くなった凹形状になっており、その一段低くなった部分に段付ネジ１７のネジ頭部が収まるように形成されている。したがって、段付ネジ１７など、ガイド機構を構成する部材がシャッタ部材１４の上面に突き出ることがない。段付ネジ１７のネジ胴部の長さ（高さ）はシャッタ部材１４の厚さよりも大きく設定されており、これにより段付ネジ１７をガイド溝１６内で上カバー１１に締めこんだときに、ネジ頭部とシャッタ部材１４との間に隙間Ｇが形成されるようになっている。このような構成により、シャッタ部材１４は、段付ネジ１７によって上カバー１１からの浮き上がりを規制され、かつ、シャッタ部材１４の摺動に必要な適切な間隔を確保されてスライド可能に支持される。なお、図６は、シャッタ閉鎖位置におけるシャッタ部材１４及びガイド溝１６と段付ネジ１７との位置関係を示しており、シャッタ閉鎖位置では段付ネジ１７がガイド溝１６の一方側の端部に当接している。
【００４０】
ところで、本例においては、シャッタ部材１４をシャッタ閉鎖位置に維持できるよう構成している。すなわち、図６に示すように、光学ハウジングの上カバー１１には、上記段付ネジ１７を受けるネジ受穴２８の近傍に、ピン３１またはネジ３２等の係止部材が挿入される係止部材受穴２９が設けられている。そして、シャッタ部材１４側には、シャッタ部材１４をシャッタ閉鎖位置に位置させたときに上カバー１１の係止部材受穴２９に対応する位置に、係止部材挿入穴３０が設けられている。なお、上カバー１１の係止部材受穴２９及びシャッタ部材１４の係止部材挿入穴３０は、シャッタ部材１４の３個所のガイド溝１６に対応して設けてもよいが、本例では図３に示すように、光走査装置１５を画像形成装置本体へ装着したときの前面側となる２つのガイド溝１６の近傍の２個所に係止部材受穴２９及び係止部材挿入穴３０を設けている（図３には係止部材挿入穴３０のみを示す）。
【００４１】
そして、シャッタ部材１４を図６に示すシャッタ位置に移動させ、係止部材挿入穴３０からピン３１またはネジ３２等の係止部材を挿入して係止部材受穴２９に係止させることによって、シャッタ部材１４をシャッタ閉鎖位置に保持させることができる。これにより、シャッタが不用意に開くことを防止できる。たとえば、光走査装置１５の製造後に画像形成装置に組み込むまでの間など、極力防塵ガラス８部の汚染を避けたい場合など、係止部材を用いて確実にシャッタ部材１４をシャッタ閉鎖位置に保持させることが可能となる。
【００４２】
なお、図には示さないが、シャッタ部材１４をシャッタ開放位置に維持させるための係止部材受穴及び係止部材挿入穴を、上記係止部材受穴２９及び係止部材挿入穴３０と同様に、それぞれ上カバー１１及びシャッタ部材１４に設けてもよい。その場合、ガイド溝１６を挟んで上記係止部材受穴２９及び係止部材挿入穴３０と反対側に、シャッタ部材１４をシャッタ開放位置に維持させるための係止部材受穴及び係止部材挿入穴を配置すれば良い。これにより、たとえば、シャッタ部材１４を移動させるモータ５９が故障したが画像形成装置の使用停止は避けたい場合など、ネジ３２等の係止部材を用いてシャッタ部材１４をシャッタ開放位置に維持させて装置動作を継続させることができる。
【００４３】
市場における補修用光走査装置の供給に関しては、画像形成装置に光走査装置を組み付けて使用可能となるまでは長時間が経過することが考えられるため、上記のように、シャッタ部材１４をシャッタ閉鎖位置及びシャッタ開放位置に維持させる構成を備えることにより、画像形成装置の装置動作継続と、交換用光走査装置の防塵ガラス部の汚染防止の、双方において有効である。
【００４４】
なお、係止部材としてネジ３２を用いた場合、振動等により係止部材が外れることがなく、より確実にシャッタ部材１４をシャッタ閉鎖位置あるいはシャッタ開放位置に維持することができる。一方、短時間シャッタ部材１４をシャッタ閉鎖位置またはシャッタ開放位置に維持すればよい場合、あるいは振動等を考慮しなくてよい場合などは、係止部材としてピン３１を用いることにより、装着及び取り外しに手間がかからず、作業性の低下を防ぐことができる。
【００４５】
図７は、光走査装置１５の幅方向（主走査方向と平行な方向）におけるシャッタ部材１４をガイドする構成を説明する模式図である。
この図に示すように、光学ハウジング１３に取り付けられた上カバー１１の両側端部は下方に折り曲げられてハウジングの両側に端面１１ａ，１１ａを形成している。そして、シャッタ部材１４も、その幅方向の両側端部が下方に折り曲げられて端面１４ａ，１４ａを形成している。そして、上カバー１１の端面１１ａ，１１ａとシャッタ部材１４の端面１４ａ，１４ａとの間には、図では判らないがシャッタ部材１４のスライド移動に必要なわずかな間隔が形成されている。これにより、シャッタ部材１４が蛇行などせずに適切に摺動できるよう、シャッタ部材１４が光走査装置１５の幅方向（図７に両矢印で示すＲ方向）にガイドされて保持され、光走査装置１５の長手方向（図２，３のＡ方向）に往復動作可能となっている。
【００４６】
なお、図８に示すような構成により、シャッタ部材１４を光走査装置１５の幅方向にガイドしても良い。図８は、ガイド溝１６部を図６の図面に垂直な方向から見た断面図である。この図において、ガイド溝１６の両側端面（Ｒ方向の端面）と段付ネジ１７のネジ胴部両側端面との間には、図では判らないがシャッタ部材１４のスライド移動に必要なわずかな間隔が形成されている。これにより、シャッタ部材１４が蛇行などせずに適切に摺動できるよう、シャッタ部材１４が光走査装置１５の幅方向（図７に両矢印で示すＲ方向）にガイドされて保持され、光走査装置１５の長手方向（図２，３のＡ方向）に往復動作可能とる。
【００４７】
ところで、シャッタ部材１４は走査光であるレーザビームを遮蔽するシャッタ閉鎖位置と、レーザビームの通過を許容するシャッタ開放位置とに確実にその動作が制御されなければならない。そのため、本例では、シャッタ部材１４が閉鎖位置または開放位置にあることを検出するための構成を備えている。
【００４８】
すなわち、図３に示すように、面板５８の光走査装置１５と反対側の側面にブラケット６３が取り付けられている。このブラケット６３に検出レバー６４が軸６５により回動可能に支持されている。検出レバー６４の一方側端部は垂直上方に折り曲げられ、その曲折部分が上記偏心カム６１の側面に当接される。検出レバー６４の反対側端部付近にはセンサ６６が設けられている。センサ６６は、本例では２つのフォトインタラプタ６７，６８からなり、面板５８にブラケットを介して支持されている。そして、検出レバー６４の反対側端部（偏心カム６１とは反対側の端部）がセンサ６６に検出されるフィーラ（被検出部）となっており、該レバー端部がフォトインタラプタ６７，６８を遮ることにより、シャッタ部材１４の閉鎖位置または開放位置が検出される。
【００４９】
検出レバー６４を軸支する軸６５には図示しない捻りコイルばねが嵌装されており、その捻りコイルばねにより検出レバー６４は図３において時計回りに（レバー曲折部を偏心カム６１に当接させる方向に）付勢されている。図３及び図４に実線で示す偏心カム６１のシャッタ閉鎖状態では、検出レバー６４は偏心カム６１に押圧されてフィーラがフォトインタラプタ６７を遮る。また、図３及び図４に仮想線で示す偏心カム６１のシャッタ開放状態では、偏心カム６１の押圧力が解除されて捻りコイルばねが検出レバー６４を仮想線の位置に回動させ、フィーラがフォトインタラプタ６８を遮る。したがって、本例では、フォトインタラプタ６７の出力オフによりシャッタ部材１４が閉鎖位置となったことを、フォトインタラプタ６８の出力オフによりシャッタ部材１４が開放位置となったことを検出する。そして、センサ６６（フォトインタラプタ６７，６８）の出力に基づいてシャッタ駆動モータ５９が制御され、駆動及び停止制御が適切に行われるよう構成している。
【００５０】
図９は、シャッタ部材検出機構の別例を示す部分斜視図である。
この図において、シャッタ部材１４の端部が被検出部１４ｂとして形成され、該被検出部１４ｂを検出するセンサ６６が配置されている。シャッタ部材１４の図２，３のＡ方向への往復動作にともない、シャッタ閉鎖位置で被検出部１４ｂがセンサ６６のフォトインタラプタを遮り、シャッタが開放されると被検出部１４ｂがセンサ６６から抜けるので、センサ６６の出力に基づいてシャッタの開閉状態を検知することができる。
【００５１】
シャッタの開閉状態を検出するセンサを光走査装置側に搭載した場合、シャッタ部材の動きを直接検知できるため高精度な検出が可能となる。その一方で、サービス単位として考えられる光走査装置自体のコストが上がるとともに、光走査装置を脱着する際のハーネス（センサ出力を本体に送るために必要）の取り回しが複雑になるデメリットも考えられる。したがって、シャッタの開閉状態を検出するセンサを画像形成装置本体側に配置するか、光走査装置側に搭載するかは、システムとして最適な方式を適宜選択すればよい。
【００５２】
以上、本発明を図示例により説明したが、本発明はこれに限定されるものではない。例えば、上記説明した実施例では、モータ及び偏心カムを用いてシャッタ部材１４を往復移動させる構成であったが、ソレノイドやモータとラック＆ピニオンギヤを用いてシャッタ部材１４を往復移動させることも可能である。あるいは、リンク部材を介さず、モータやソレノイドにより直接シャッタ部材を往復移動させることも可能であり、適宜な構成を採用すればよい。また、駆動源（モータやソレノイド等）を光走査装置側に搭載することも可能である。リンク機構を用いる場合は、リンク部材の形状や始点の位置なども適宜設定可能である。
【００５３】
光走査装置を搭載する画像形成装置においては、作像部の方式や装置各部の構成は任意である。また、画像形成装置としては、プリンタに限らず複写機やファクシミリ、あるいはそれらの複合機でも構わない。
【図面の簡単な説明】
【００５４】
【図１】本発明に係る光走査装置の一例を備えた画像形成装置の概略を示す断面構成図である。
【図２】その光走査装置付近を詳しく示す拡大図である。
【図３】光走査装置とそのシャッタ駆動機構を示す斜視図である。
【図４】シャッタ駆動機構のリンク部材付近を示す部分平面図である。
【図５】シャッタ部材のガイド溝付近を示す部分斜視図である。
【図６】そのガイド溝付近の断面図である。
【図７】シャッタ部材をガイドする構成を説明する模式図である。
【図８】シャッタ部材をガイドする別構成の模式図である。
【図９】シャッタ部材検出機構の別例を示す部分斜視図である。
【符号の説明】
【００５５】
８                  防塵ガラス
１１                上カバー
１３                光学ハウジング
１４                シャッタ部材
１５                光走査装置
１６                ガイド溝
１７                段付ネジ
１８                開口
２０                レバー
２８                ネジ受穴
２９                係止部材受穴
３０                係止部材挿入穴
５０                フルカラープリンタ
５８                面板
５９                モータ
６１                偏心カム
６６                センサ
【図１】
2007144853.tif 000003
【図２】
2007144853.tif 000004
【図３】
2007144853.tif 000005
【図４】
2007144853.tif 000006
【図５】
2007144853.tif 000007
【図６】
2007144853.tif 000008
【図７】
2007144853.tif 000009
【図８】
2007144853.tif 000010
【図９】
2007144853.tif 000011